(57)【要約】【課題】携帯端末保持装置において、携帯端末の落下を防止することができるとともに、ユーザの利便性を向上させる。【解決手段】携帯端末保持装置１は、固定ホルダ１０と、巻き取り部３０とを備える。固定ホルダ１０は、ユーザの手２００に装着されるグローブ３００における甲部分３０１に固定され、携帯端末１００を着脱自在に保持する。巻き取り部３０は、固定ホルダ１０に固定され、ワイヤＷを巻き出し可能に巻き取る。また、巻き取り部３０は、携帯端末１００が固定ホルダ１０から取り出される際に巻き出されたワイヤＷを、携帯端末１００が固定ホルダ１０に対して装着されるように巻き取る。【選択図】図６
2020145653.tif 000002
【特許請求の範囲】
【請求項１】
ユーザの手に装着されるグローブにおける甲部分に固定され、携帯端末を着脱自在に保持する固定ホルダと、
前記固定ホルダに固定され、ワイヤを巻き出し可能に巻き取る巻き取り部とを備え、
前記巻き取り部は、前記携帯端末が前記固定ホルダから取り出される際に巻き出された前記ワイヤを、前記携帯端末が前記固定ホルダに対して装着されるように巻き取る
ことを特徴とする携帯端末保持装置。
【請求項２】
前記携帯端末を保持する可動ホルダを更に備え、
前記ワイヤの先端は、前記可動ホルダ又は前記携帯端末に固定され、
前記固定ホルダは、前記可動ホルダをスライド自在且つ着脱自在に保持することによって、前記携帯端末を着脱自在に保持する、
ことを特徴とする請求項１記載の携帯端末保持装置。
【請求項３】
一端が前記グローブにおける指部分に固定された可撓性部材を更に備え、
前記固定ホルダ及び前記可動ホルダには、前記携帯端末の操作ボタンを露出させるボタン用開口部が設けられ、
前記可撓性部材は、ユーザが指を伸ばした状態と折り曲げた状態とに変化させることによる前記一端の位置の変動によって、前記携帯端末及び前記可動ホルダをスライドさせるように移動し、前記固定ホルダの前記ボタン用開口部の周囲の内周面によって前記操作ボタンを押下させる
ことを特徴とする請求項２記載の携帯端末保持装置。
【発明の詳細な説明】
【技術分野】
【０００１】
本発明は、携帯端末を保持する携帯端末保持装置に関する。
【背景技術】
【０００２】
従来、２次元コードを読み取る携帯スキャナなどの携帯端末は、ストラップが取り付けられ、このストラップにおいてユーザの首や手首に掛けられたり、ストラップにおいてユーザの指を通されて把持されたりする。或いは、携帯端末は、腰ベルトに固定されるホルダによって着脱自在に保持される。
【０００３】
また、ユーザの手に装着されるグローブにおける甲部分に装着される携帯端末が知られている（例えば、特許文献１〜３参照）。
【先行技術文献】
【特許文献】
【０００４】
【特許文献１】特許第３８２３６３３号公報
【特許文献２】実開平４−７８６６７号公報
【特許文献３】特開２００１−２５６４２９号公報
【発明の概要】
【発明が解決しようとする課題】
【０００５】
上述のようにストラップが取り付けられる携帯端末は、特に運送業務に用いられる場合に、ユーザが荷物を持ちながら走ったり、伝票処理をしたり、或いは車まで走って戻ったりといった行動を繰り返すなかでは、携帯端末が非常に邪魔な存在となってしまう。また、ストラップがユーザの手首や指に通される場合や、そもそもストラップがどこにも掛けられない場合には、ユーザが携帯端末を落下させ、携帯端末を故障させる事故が生じ得る。
【０００６】
また、上述のように腰ベルトに固定されるホルダによって保持される携帯端末は、特に運送業務に用いられる場合に、ユーザが忙しさのなかで携帯端末を着脱するのが面倒である。そのため、ユーザは、ズボンのポケットに携帯端末を入れるなどし、ホルダに携帯端末を装着しない場合がある。そのため、携帯端末がポケットなどから落下し、携帯端末を故障させる事故が生じ得る。
【０００７】
また、上述のようにグローブにおける甲部分に装着される携帯端末は、装着位置がグローブの甲部分であるため、装着されたまま２次元コードの読み取りなどの処理を行うことができる。また、携帯端末がグローブにおける甲部分に装着されると、ユーザは装着状態でも携帯端末を見やすく且つ操作しやすいため、ユーザの利便性が高い。しかしながら、障害物の存在などによって、甲部分に装着された状態のままで２次元コードの読み取りなどの処理を行うことが困難な状況では、携帯端末をグローブにおける甲部分から取り出す必要が生じる。このように、ユーザが携帯端末をグローブにおける甲部分から取り出すと、上述のように携帯端末が落下し、故障する事故が生じ得る。
【０００８】
本発明の目的は、携帯端末の落下を防止することができるとともに、ユーザの利便性を向上させることができる携帯端末保持装置を提供することである。
【課題を解決するための手段】
【０００９】
１つの態様では、携帯端末保持装置は、ユーザの手に装着されるグローブにおける甲部分に固定され、携帯端末を着脱自在に保持する固定ホルダと、前記固定ホルダに固定され、ワイヤを巻き出し可能に巻き取る巻き取り部とを備え、前記巻き取り部は、前記携帯端末が前記固定ホルダから取り出される際に巻き出された前記ワイヤを、前記携帯端末が前記固定ホルダに対して装着されるように巻き取る。
【発明の効果】
【００１０】
前記態様によれば、携帯端末の落下を防止することができるとともに、ユーザの利便性を向上させることができる。
【図面の簡単な説明】
【００１１】
【図１】携帯端末保持装置及び携帯端末を示す上面図である。
【図２】携帯端末を示す上面図である。
【図３】固定ホルダを示す６面図である。
【図４】可動ホルダを示す６面図である。
【図５】携帯端末の使用状態（装着時）を説明するための説明図である。
【図６】携帯端末の使用状態（取り出し時）を説明するための説明図である。
【図７】可撓性部材を用いたスキャンキーの押下を説明するための説明図（その１）である。
【図８】可撓性部材を用いたスキャンキーの押下を説明するための説明図（その２）である。
【図９】図７のIX−IX拡大断面図である。
【図１０】図８のＸ−Ｘ拡大断面図である。
【発明を実施するための形態】
【００１２】
以下、本発明の実施の形態に係る携帯端末保持装置について、図面を参照しながら説明する。
【００１３】
図１は、携帯端末保持装置１及び携帯端末１００を示す上面図である。
図２は、携帯端末１００を示す上面図である。
【００１４】
図３は、固定ホルダ１０を示す６面図である。
図４は、可動ホルダ２０を示す６面図である。
【００１５】
図５は、携帯端末１００の使用状態（装着時）を説明するための説明図である。
図６は、携帯端末１００の使用状態（取り出し時）を説明するための説明図である。
【００１６】
図７及び図８は、可撓性部材４０を用いたスキャンキー１０３の押下を説明するための説明図である。
図９は、図７のIX−IX拡大断面図であり、図１０は、図８のＸ−Ｘ拡大断面図である。
【００１７】
図１に示す携帯端末保持装置１は、固定ホルダ１０と、可動ホルダ２０と、巻き取り部３０と、可撓性部材４０（図７及び図８参照）とを備え、携帯端末１００を保持する。
【００１８】
図２に示すように、携帯端末１００の上面には、表示部１０１及び操作部１０２が配置されている。表示部１０１は、各種情報を表示するディスプレイである。操作部１０２は、テンキーなどの各種のボタンを有する。操作部１０２は、スキャンキー１０２ａを含む。このスキャンキー１０２ａは、図７及び図８に示す照射面１０５から図５及び図６に示す照射光Ｌを照射する処理を行うための操作ボタンである。このように、携帯端末１００は、照射光Ｌを照射することによって図５及び図６に示す２次元コード４０２，５０２を読み取る携帯スキャナとして機能するが、携帯端末１００は、携帯スキャナ以外の携帯端末であってもよい。
【００１９】
図２に示すように、携帯端末１００には、左側面にスキャンキー１０３設けられ、右側面にスキャンキー１０４が設けられている。スキャンキー１０３，１０４は、後述する固定ホルダ１０のボタン用開口部１４，１５及び可動ホルダ２０のボタン用開口部２２，２３から露出する操作ボタンの一例である。この操作ボタンは、２つ（複数）ではなく単一のボタンであってもよい。
【００２０】
図３に示すように、固定ホルダ１０は、上面及び背面において開口する直方体形状を呈する（（ａ）上面図及び（ｄ）背面図参照）。固定ホルダ１０は、開口した上面において、可動ホルダ２０の上面における左右端部を押さえるための押さえ部１１，１２と、巻き取り部３０を収容する巻き取り部収容部１３の上部とが設けられている。また、固定ホルダ１０の左側面には、図２に示す携帯端末１００のスキャンキー１０３を露出させるボタン用開口部１４が設けられている（（ｂ）左側面図参照）。また、固定ホルダ１０の右側面には、図２に示す携帯端末１００のスキャンキー１０４を露出させるボタン用開口部１５が設けられている（（ｃ）右側面図参照）。
【００２１】
図７及び図８に示すように、固定ホルダ１０は、底面において、ユーザの手２００に装着されるグローブ３００における甲部分３０１に固定されている。
【００２２】
固定ホルダ１０は、携帯端末１００を保持する可動ホルダ２０を着脱自在に保持することによって、携帯端末１００を着脱自在に保持する。固定ホルダ１０は、背面側から取り出し可能に可動ホルダ２０をスライド自在に保持する。なお、固定ホルダ１０は、図示しないガイドによって可動ホルダ２０をガイドしながらスライドさせるとよい。
【００２３】
図４に示すように、可動ホルダ２０は、上面及び背面において開口する直方体形状を呈する（（ａ）上面図及び（ｄ）背面図参照）。可動ホルダ２０は、例えば携帯端末１００が上面側又は背面側から嵌め込まれることで、携帯端末１００を保持する。可動ホルダ２０には、底面の背面側に矩形状の切り欠き２１が設けられている。この切り欠き２１は、図７及び図８に示す携帯端末１００の照射面１０５から照射される照射光Ｌ（図５及び図６参照）を透過させるための切り欠きである。なお、照射面１０５は、携帯端末１００の底面の前面側に設けられた傾斜面である。
【００２４】
図４に示すように、可動ホルダ２０の左側面には、図２に示す携帯端末１００のスキャンキー１０３を露出させるボタン用開口部２２が設けられている（（ｂ）左側面図参照）。また、可動ホルダ２０の右側面には、図２に示す携帯端末１００のスキャンキー１０４を露出させるボタン用開口部２３が設けられている（（ｃ）右側面図参照）。なお、図９に示すように、スキャンキー１０３，１０４は、可動ホルダ２０のボタン用開口部２２，２３を貫通し、先端が固定ホルダ１０のボタン用開口部１４，１５内（又はボタン用開口部１４，１５の外部）に位置するとよい。
【００２５】
図４に示すように、可動ホルダ２０の前面には、後述するワイヤＷの先端を取り付けるためのワイヤ取り付け部２４，２５が例えば左右両端に設けられている（（ｅ）前面図参照）。なお、可動ホルダ２０とは異なる部材にワイヤ取り付け部２４，２５が設けられ、この部材が可動ホルダ２０に固定されていてもよい。また、可動ホルダ２０の前面などには、携帯端末１００の端子などを露出させるための開口部が設けられていてもよい。
【００２６】
なお、可動ホルダ２０が省略され、固定ホルダ１０が可動ホルダ２０を介さず直接的に携帯端末１００を保持してもよい。この場合にも、固定ホルダ１０は、携帯端末１００をスライド自在に保持するとよい。
【００２７】
図１に破線（かくれ線）で示す巻き取り部３０は、固定ホルダ１０の内部の前面側に設けられた巻き取り部収容部１３に収容された状態で、固定ホルダ１０の内部に固定されている。図７及び図８に示すように、巻き取り部３０は、ワイヤＷを巻き取る方向と巻き出す方向との両方向に回転可能な巻き取り軸３１を有する。なお、巻き取り部３０は、ワイヤＷを巻き取る方向に巻き取り軸３１を付勢することで巻き取り軸３１を回転させるぜんまいバネなどの弾性体を有するとよい。巻き取り軸３１は、この弾性体の付勢力に抗して図６に示すように可動ホルダ２０及び携帯端末１００が固定ホルダ１０から取り出されることで、ワイヤＷを巻き出す方向に回転する。
【００２８】
図６に示すように、本実施の形態におけるワイヤＷは、１本のワイヤＷが先端側に設けられた分岐部Ｗａにおいて二股に分岐し、上述の可動ホルダ２０のワイヤ取り付け部２４，２５に取り付けられている。なお、複数本のワイヤが配置され、この複数本のワイヤが巻き取り部３０によって巻き取られるとともに巻き出されてもよい。この場合、複数本のワイヤのそれぞれは、可動ホルダ２０の互いに異なるワイヤ取り付け部に取り付けられるとよい。このように複数本のワイヤが配置される場合には、ワイヤ１本あたりの巻き取りのための付勢力が弱い力で足りる。なお、ワイヤＷの先端は、可動ホルダ２０（ワイヤ取り付け部２４，２５）に固定されることで間接的に携帯端末１００に固定されるが、直接的に携帯端末１００に固定されてもよい。
【００２９】
図５に示すように、ユーザは、対象物４００の伝票４０１の２次元コード４０２の読み取りを行う場合に、携帯端末１００を携帯端末保持装置１から取り外さずに、上述のスキャンキー１０２ａ，１０３，１０４のいずれかを押下することによって、照射光Ｌを照射させる。
【００３０】
一方、図６に示すように、障害物６００に邪魔されることなどによって、携帯端末１００が携帯端末保持装置１に装着されたまま対象物５００の伝票５０１の２次元コード５０２の読み取りを行うことが困難な場合がある。この場合には、ユーザは、グローブ３００が装着される手２００とは逆側の図示しない手で可動ホルダ２０及び携帯端末１００を固定ホルダ１０から取り出し、可動ホルダ２０及び携帯端末１００を把持する。これにより、携帯端末１００は、２次元コード５０２の読み取りが行いやすい位置から照射光Ｌを照射することができる。
【００３１】
図７及び図８に示す可撓性部材４０は、例えば帯状又は矩形板状を呈する。可撓性部材４０の素材としては、撓むことが可能な素材であればよいが、一例としてはゴムが挙げられる。
【００３２】
可撓性部材４０の一端（図７及び図８における左端）は、２点鎖線で示すグローブ３００における指部分３０２に固定される。可撓性部材４０の他端（図７及び図８における右端）は、可動ホルダ２０の外部底面と、固定ホルダ１０の内部底面との間に挿入されているが、固定ホルダ１０、可動ホルダ２０、及び携帯端末１００のいずれにも固定されていない。なお、グローブ３００の指部分３０２は、ユーザの手２００の指２０１の第２関節近傍まで延びている。そのため、ユーザの指２０１の先端は外部に露出するが、グローブ３００の指部分３０２がユーザの指２０１の全体を覆ってもよい。
【００３３】
可撓性部材４０は、ユーザが指２０１を伸ばした状態（図７参照）から折り曲げた状態（図８参照）へ変化させることによる一端（指部分３０２への固定部分）の位置の変動によって、他端がユーザの指２０１側にスライドする。この可撓性部材４０のスライド時に、可撓性部材４０が可動ホルダ２０（又は携帯端末１００）に接触しているため、可動ホルダ２０及び携帯端末１００をユーザの指２０１側にスライドさせる。
【００３４】
そのため、図９に示すように、固定ホルダ１０のボタン用開口部１４及び可動ホルダ２０のボタン用開口部２２から露出していた携帯端末１００のスキャンキー１０３は、可動ホルダ２０及び携帯端末１００がスライドすることによって、図１０に示すように固定ホルダ１０のボタン用開口部１４の周囲の内周面によって押下される。これにより、携帯端末１００は、照射面１０５から図５及び図６に示す照射光Ｌを照射する。
【００３５】
なお、スキャンキー１０３は、ユーザが指２０１を伸ばした状態（図７参照）で、ボタン用開口部１４，２２から露出するが、ユーザが指２０１を折り曲げた状態（図８参照）でボタン用開口部１４，２２から露出し、ユーザが指２０１を伸ばすことで可動ホルダ２０及び携帯端末１００が巻き取り部３０側にスライドすることによって、固定ホルダ１０のボタン用開口部１４の周囲の内周面によって押下されてもよい。この場合、可動ホルダ２０及び携帯端末１００は、巻き取り部３０との間に弾性体を介して配置され、固定ホルダ１０への装着状態において、上記弾性体の付勢力によって巻き取り部３０から離隔した位置にあり、ユーザが指２０１を伸ばすことで上記弾性体の付勢力に抗して上記弾性体を収縮するとよい。
【００３６】
また、図示はしないが、スキャンキー１０３とは反対側に設けられ、固定ホルダ１０のボタン用開口部１５及び可動ホルダ２０のボタン用開口部２３から露出する携帯端末１００のスキャンキー１０４も、スキャンキー１０３が押下されるのと同じタイミングで、可動ホルダ２０及び携帯端末１００がスライドすることによって、固定ホルダ１０のボタン用開口部１５の周囲の内周面によって押下される。
【００３７】
なお、上述のように、ユーザの指２０１の状態変化によって可動ホルダ２０及び携帯端末１００がスライドすることでスキャンキー１０３，１０４が押下される態様では、可動ホルダ２０及び携帯端末１００を固定ホルダ１０に装着する場合や固定ホルダ１０から取り出す場合にも、スキャンキー１０３，１０４が押下されることになる。しかしながら、これらの場合にスキャンキー１０３，１０４が押下されて照射光Ｌが照射されても特段の問題は生じない。また、所定時間継続してスキャンキー１０３，１０４が押下されることによって、スキャンキー１０３，１０４の押下が有効となる場合には、可動ホルダ２０及び携帯端末１００の着脱時には照射光Ｌは照射されない一方、ユーザが指２０１の状態を上記の所定時間継続して変化させておくことで、スキャンキー１０３，１０４の押下が有効となるようにすることができる。
【００３８】
以上説明した本実施の形態では、携帯端末保持装置１は、固定ホルダ１０と、巻き取り部３０とを備える。固定ホルダ１０は、ユーザの手２００に装着されるグローブ３００における甲部分３０１に固定され、携帯端末１００を着脱自在に保持する。巻き取り部３０は、固定ホルダ１０に固定され、ワイヤＷを巻き出し可能に巻き取る。また、巻き取り部３０は、携帯端末１００が固定ホルダ１０から取り出される際に巻き出されたワイヤＷを、携帯端末１００が固定ホルダ１０に対して装着されるように巻き取る。
【００３９】
そのため、固定ホルダ１０がグローブ３００における甲部分３０１に固定されることで、固定ホルダ１０によって保持される携帯端末１００は、固定ホルダ１０に保持されたまま２次元コード４０２，５０２の読み取りなどの処理を行うことができる。また、携帯端末１００を保持する固定ホルダ１０がグローブ３００における甲部分３０１に固定されることで、携帯端末１００が携帯端末保持装置１に装着された状態でもユーザが携帯端末１００を見やすく且つ操作しやすいため、ユーザの利便性が高い。また、ユーザが、例えば、障害物６００の存在などによって携帯端末１００が２次元コード４０２，５０２の読み取りなどの処理を行うことが困難な状況において、携帯端末１００を携帯端末保持装置１から取り出した場合でも、携帯端末１００は、ワイヤＷによって巻き取り部３０と接続されているため、落下が防止される。
【００４０】
よって、本実施の形態によれば、携帯端末１００の落下を防止することができるとともに、ユーザの利便性を向上させることができる。
【００４１】
また、本実施の形態では、携帯端末保持装置１は、携帯端末１００を保持する可動ホルダ２０を更に備え、ワイヤＷの先端は、可動ホルダ２０（又は携帯端末１００）に固定され、固定ホルダ１０は、可動ホルダ２０をスライド自在且つ着脱自在に保持することによって、携帯端末１００を着脱自在に保持する。これにより、携帯端末１００がワイヤＷの取り付け部分を有していなかったり或いは固定ホルダ１０への装着に適した形状を有していなかったりしても、可動ホルダ２０に携帯端末１００を保持させることで、携帯端末１００の固定ホルダ１０への装着が容易になる。したがって、ユーザの利便性を更に向上させることができる。
【００４２】
また、本実施の形態では、携帯端末保持装置１は、一端がグローブ３００における指部分３０２に固定された可撓性部材４０を更に備える。固定ホルダ１０及び可動ホルダ２０には、携帯端末１００の操作ボタンの一例であるスキャンキー１０３，１０４を露出させるボタン用開口部１４，１５，２２，２３が設けられている。可撓性部材４０は、ユーザが指２０１を伸ばした状態（図７参照）と折り曲げた状態（図８参照）とに変化させることによる一端の位置の変動によって、携帯端末１００及び可動ホルダ２０をスライドさせるように移動し、固定ホルダ１０のボタン用開口部１４，１５の周囲の内周面によってスキャンキー１０３，１０４を押下させる。これにより、ユーザが指２０１を伸ばした状態と折り曲げた状態とに変化させる片手の操作によって、スキャンキー１０３，１０４の押下が可能になる。したがって、ユーザの指２０１や手２００の動きなどを検出するための複雑な検出部を用いない簡素な構成で、ユーザの利便性をより一層向上させることができる。
【００４３】
なお、本発明は、実施の形態そのままに限定されるものではなく、実施段階でのその要旨を逸脱しない範囲で構成要素を変形して具体化することができる。また、実施の形態に開示されている複数の構成要素の適宜な組み合わせにより、種々の発明を形成することができる。例えば、実施の形態に示される全構成要素を適宜組み合わせてもよい。このように、発明の趣旨を逸脱しない範囲内において種々の変形や応用が可能である。
【符号の説明】
【００４４】
１  携帯端末保持装置
１０  固定ホルダ
１１，１２  押さえ部
１３  巻き取り部収容部
１４，１５  ボタン用開口部
２０  可動ホルダ
２１  切り欠き
２２，２３  ボタン用開口部
２４，２５  ワイヤ取り付け部
３０  巻き取り部
３１  巻き取り軸
４０  可撓性部材
１００  携帯端末
１０１  表示部
１０２  操作部
１０２ａ，１０３，１０４  スキャンキー
１０５  照射面
２００  手
２０１  指
３００  グローブ
３０１  甲部分
３０２  指部分
４００，５００  対象物
４０１，５０１  伝票
４０２，５０２  ２次元コード
６００  障害物
Ｌ  照射光
Ｗ  ワイヤ
Ｗａ  分岐部
【図１】
2020145653.tif 000003
【図２】
2020145653.tif 000004
【図３】
2020145653.tif 000005
【図４】
2020145653.tif 000006
【図５】
2020145653.tif 000007
【図６】
2020145653.tif 000008
【図７】
2020145653.tif 000009
【図８】
2020145653.tif 000010
【図９】
2020145653.tif 000011
【図１０】
2020145653.tif 000012